(57)【特許請求の範囲】
【請求項１】
原稿載置部に載置された複数枚の原稿の先頭頁から順に原稿を原稿台上に給送する第１の原稿給送手段と、
前記原稿載置部に載置された複数枚の原稿の最終頁から順に原稿を前記原稿台上に給送する第２の原稿給送手段と、
前記原稿台上に給送された原稿を記録紙に複写する複写手段と、
前記複写手段により複写された記録紙の表裏を反転させる表裏反転手段と、
記録紙をフェイスダウン状態で排出させるモード及び記録紙をフェイスアップ状態で排出させるモードのいずれかを設定する第１の設定手段と、
記録紙の片面に複写するモード及び記録紙の両面に複写するモードのいずれかを設定する第２の設定手段と、
前記第１の設定手段により設定されたモードに応じて前記第１の原稿給送手段及び前記第２の原稿給送手段のいずれかにより原稿を給送させる制御手段と、を有し、
前記制御手段は、前記第１の設定手段によりフェイスダウン排紙モードが設定され前記第２の設定手段により片面複写モードが設定されていることに応じて、前記第１の原稿給送手段により原稿を給送させ、前記表裏反転手段により記録紙を反転させて排紙させることを特徴とする複写装置。
【請求項２】
前記第１の原稿給送手段は前記原稿載置部にフェイスアップ状態で載置された原稿の最上部の原稿を給送し、前記第２の原稿給送手段は前記原稿載置部にフェイスアップ状態で載置された原稿の最下部の原稿を給送することを特徴とする請求項１記載の複写装置。
【請求項３】
前記制御手段は、前記第１の設定手段によりフェイスダウン排紙モードが設定され前記第２の設定手段により両面複写モードが設定されていることに応じて、前記第１の原稿給送手段により原稿を給送させ、前記表裏反転手段による反転を行なわずに記録紙を排紙させ、
前記第１の設定手段によりフェイスアップ排紙モードが設定され前記第２の設定手段により片面複写モードが設定されていることに応じて、前記第２の原稿給送手段により原稿を給送させ、前記表裏反転手段により記録紙を反転させずに排紙させ、
前記第１の設定手段によりフェイスアップ排紙モードが設定され前記第２の設定手段により両面複写モードが設定されていることに応じて、前記第２の原稿給送手段により原稿を給送させ、前記表裏反転手段により記録紙を反転させて排紙させることを特徴とする請求項１記載の複写装置。
【請求項４】
原稿載置部に載置された複数枚の原稿の先頭頁から順に原稿を原稿台上に給送する第１の原稿給送手段と、前記原稿載置部に載置された複数枚の原稿の最終頁から順に原稿を前記原稿台上に給送する第２の原稿給送手段と、前記原稿台上に給送された原稿を記録紙に複写する複写手段と、前記複写手段により複写された記録紙の表裏を反転させる表裏反転手段と、を有する複写装置の制御方法において、
記録紙をフェイスダウン状態で排出させるモード及び記録紙をフェイスアップ状態で排出させるモードのいずれが設定されているか判別するステップと、
記録紙の片面に複写するモード及び記録紙の両面に複写するモードのいずれかが設定されているか判別するステップと、
フェイスダウン排紙モードが設定され、片面複写モードが設定されていると判別したことに応じて、前記第１の原稿給送手段により原稿を給送させ、前記表裏反転手段により記録紙を反転して排紙するステップと、
を有することを特徴とする複写装置の制御方法。
【請求項５】
前記第１の原稿給送手段は前記原稿載置部にフェイスアップ状態で載置された原稿の最上部の原稿を給送し、前記第２の原稿給送手段は前記原稿載置部にフェイスアップ状態で載置された原稿の最下部の原稿を給送することを特徴とする請求項４記載の複写装置の制御方法。
【請求項６】
フェイスダウン排紙モードが設定され、両面複写モードが設定されていると判別したことに応じて、前記第１の原稿給送手段により原稿を給送させ、前記表裏反転手段により記録紙を反転せずに排紙するステップと、
フェイスアップ排紙モードが設定され、片面複写モードが設定されていると判別したことに応じて、前記第２の原稿給送手段により原稿を給送させ、前記表裏反転手段により記録紙を反転せずに排紙するステップと、
フェイスアップ排紙モードが設定され、両面複写モードが設定されていると判別したことに応じて、前記第２の原稿給送手段により原稿を給送させ、前記表裏反転手段により記録紙を反転して排紙するステップと、を更に有することを特徴とする請求項４記載の複写装置の制御方法。
【発明の詳細な説明】
【０００１】
【発明の属する技術分野】
本発明は、記録紙をフェイスダウン状態及びフェイスアップ状態のいずれかで排出可能な複写装置に関する。
【０００２】
【従来の技術】
従来の複写装置は、原稿トレイにフェイスアップ状態で載置された複数枚の原稿の最下部から順に給送してコピーし、コピーされた記録紙をフェイスアップの状態で排紙するようになっている。
【０００３】
また、最近ではホストコンピュータからの画像データをプリントするプリンタ機能を有する複写装置があり、この種の複写装置はホストコンピュータから出力される画像データの頁順が先頭頁から順に出力されるため、記録紙をフェイスダウンで排紙するようになっている。
【０００４】
【発明が解決しようとする課題】
しかしながら、後者の複写装置はコピー機能においてもフェイスダウンで排紙するため、コピー状態を確認するにはユーザが記録紙を裏返さなければならないという使い勝手の悪い点がある。しかし、そうかといってコピー機能時はフェイスアップ排紙が全て適しているとはいえない。例えば、１枚の記録紙に複数枚の原稿を複写するＮｉｎ１モードがあるが、原稿を最終頁から給送して記録紙をフェイスアップで排紙する場合には、原稿枚数がわからないと先頭頁がコピーされた位置よりも前に空白ができてしまう。ところが原稿を先頭頁から給送してフェイスダウンで排紙すれば原稿枚数がわからないままでも先頭頁を前につめた状態でＮｉｎ１モードが実行できる。このように、フェイスダウン排紙、フェイスアップ排紙それぞれに長所、短所がある。
【０００５】
【課題を解決するための手段】
上記問題を解決するため、本発明は、原稿載置部に載置された複数枚の原稿の先頭頁から順に原稿を原稿台上に給送する第１の原稿給送手段と、前記原稿載置部に載置された複数枚の原稿の最終頁から順に原稿を前記原稿台上に給送する第２の原稿給送手段と、前記原稿台上に給送された原稿を記録紙に複写する複写手段と、前記複写手段により複写された記録紙の表裏を反転させる表裏反転手段と、記録紙をフェイスダウン状態で排出させるモード及び記録紙をフェイスアップ状態で排出させるモードのいずれかを設定する第１の設定手段と、記録紙の片面に複写するモード及び記録紙の両面に複写するモードのいずれかを設定する第２の設定手段と、前記第１の設定手段により設定されたモードに応じて前記第１の原稿給送手段及び前記第２の原稿給送手段のいずれかにより原稿を給送させる制御手段と、を有し、前記制御手段は、前記第１の設定手段によりフェイスダウン排紙モードが設定され前記第２の設定手段により片面複写モードが設定されていることに応じて、前記第１の原稿給送手段により原稿を給送させ、前記表裏反転手段により記録紙を反転させて排紙させることを特徴とする複写装置を提供するものである。
【０００６】
【発明の実施の形態】
〔実施形態１〕
図１は本発明の一実施形態を示す画像形成装置の構成を説明するブロック図である。図において、１は原稿を読み取って画像データに変換するリーダ部、２はプリント命令により画像データを記録紙上に可視像として出力するプリンタ部、３はリーダ部１と電気的に接続された外部装置であり、各種の機能を有する。外部装置３には、ファクシミリ部５、ファイル部６、コンピュータ又はＬＡＮと接続する為のコンピュータインタフェース部７、コンピュータからの情報を可視像とするためのフォーマッタ部８、また、リーダ部１からの画像データを蓄積したり、コンピュータから送られてきた情報を一時的に蓄積する為のメモリおよび上記各機能処理を制御するコア部４等を備えている。
【０００７】
また、１０は画像メモリ部であり、リーダ部１からの画像を一時的に記憶する。この画像メモリには装着状態を検出する図示しないコネクト信号により、装着状態が判別できるようになっている。９はリーダ部１からの入力、コア部３との入出力、画像メモリ部１２との入出力を、選択的に切り換え、画像バスを変更するセレクタ回路部である。
【０００８】
図２は、画像形成装置の操作部５００の詳細を示したものである。図示のように、この操作面には、各種のキーと、液晶表示装置等からなるドットマトリックスで構成される表示部５０１とが配置されている。表示部５０１にはタッチセンサが配置され、表示部５０１に表示された各種操作キー上が指でタッチされたことを検知する。表示部５０１には画像形成装置の状態、コピー枚数、倍率、選択用紙及び各種操作画面を表示する。
【０００９】
また、スタートキー５０３は、コピーを開始させるキーであり、復帰キー５０４は設定モードを標準状態に復帰させるためのキーである。またキー群５０２はコピー枚数、ズーム倍率等を入力する０から９までのテンキーとその入力をクリアするクリアキーである。濃度キー５０５は濃度をアップダウンするキーであり、これにより調整される濃度は表示部５０７に表示される。キー５０６は自動濃度調整機能をオン／オフするキーとその表示部であり、キー５０８は給紙段及びオート用紙選択機能を選択するキーである。キー５０９、５１０、５１２は、それぞれ、等倍、定形縮小／拡大を指定するためのキーである。キー５１４は各種画像処理モードを設定するためのキーである。
【００１０】
また、キー５１３は両面コピーを設定するためのキーである。キー５１６は、コピーのプリントをフェイスダウン排紙（裏面排紙）／フェイスアップ排紙（表面排紙）を切り換えるためのキーで、キー５１６が押されるごとに、裏面／表面が交互に表示され、表示されていない方（裏面と表示されているときは表面排紙（フェイスアップ排紙））が設定される。フェイスダウン排紙は１枚の記録紙に複数枚の原稿を複写するＮｉｎ１モードに適しており、フェイスアップ排紙は記録紙のコピーの写り具合を確認するときに適している。
【００１１】
図３は、図１に示したリーダ部１およびプリンタ部２の構成を説明する断面図である。以下、構成および動作について説明する。
【００１２】
（１）原稿給送動作
原稿給送装置３００の原稿トレイ３０１上に積載された原稿は、１枚ずつ順次原稿台ガラス面１０２上に搬送される。この原稿トレイ３０１上には使用者によって原稿がフェイスアップ（原稿の表面が上向き）で載置されるものとする。原稿給送時に原稿が斜行することがないように原稿トレイ３０１には原稿の幅方向を規制する幅方向規制板（不図示）が設けられ、幅方向規制板は原稿の給送方向に対して垂直方向にスライド移動可能である。
【００１３】
原稿給送装置３００が原稿束の先頭ページ（原稿束の最上ページ）から原稿台ガラス１０２上に搬送する方法について説明する。この分離給送方法を上分離と呼ぶ。ピックアップローラ３０９及び分離ローラ３０４によって原稿束の最上部から一枚づつ上分離され、分離された原稿は搬送ローラ３０５及び全面ベルト３０６により原稿台ガラス１０２の露光位置まで搬送停止され、その後に画像読み取りが開始する。画像読み取り終了後は原稿台ガラス１０２上の原稿は全面ベルト３０６により給送時と同じ方向へ搬送し、排紙ローラ３１０により排紙トレイ３１１にフェイスダウン状態で排紙される。
【００１４】
次に、原稿束の最終ページ（原稿束の最下ページ）から原稿台ガラス１０２上に搬送する方法について説明する。この分離給送方法を下分離と呼ぶ。半月形ローラ３０３及び分離ローラ３０４によって原稿束の最下部から一枚づつ上分離され、分離された原稿は搬送ローラ３０５及び全面ベルト３０６により原稿台ガラス１０２の露光位置まで搬送停止され、その後に画像読み取りが開始する。画像読み取り終了後は原稿台ガラス１０２上の原稿は全面ベルト３０６を給紙時とは反対に回転させ、両面／排紙用のパス３１０に導き、搬送大ローラ３０７を回転させ、原稿排紙ローラ３０８より原稿トレイ３０１上にフェイスアップ状態で排出される。
【００１５】
また、両面原稿時には前述のように原稿を一旦原稿台ガラス１０２上の読み取り位置に導き、画像読み取り終了後、全面ベルトを給送時とは逆方向に回転させて搬送大ローラ３０７へ送り込み、回動可能な切り換えフラッパ３１１を上方へ切り換え、搬送ローラ３０５と全面ベルト３０６で原稿台ガラス１０２上に原稿を搬送停止させる。すなわち、搬送大ローラ３０７の回転により原稿の反転が実行される構成となっている。
【００１６】
（２）原稿読み込み動作及び画像形成動作
画像形成装置本体の前面に配置してある操作部５００よりコピースタートが指示されると、原稿が原稿トレイ３０１上に載置されている場合には、前述した原稿の給紙動作が行われ、原稿台ガラス面１０２の所定の位置に搬送されるのを待って、スキャナユニット１０４を移動させてランプ１０３により照射する。また、直接原稿を原稿台ガラス面１０２の所定の位置に置いた場合には、操作部５００からのコピースタート指示で、スキャナユニット１０４を移動させてランプ１０３により照射する。原稿からの反射光は、ミラー１０５、１０６、１０７、レンズ１０８を介してＣＣＤイメージセンサ１０９（以下、ＣＣＤと称する）に入力する。
【００１７】
ＣＣＤ１０９は原稿からの反射光すなわち原稿画像を読み取り、画像処理部１１０へ原稿の画像情報を出力する。画像処理部１１０では操作部５００で設定された画像処理が施される。次にセレクタ回路部９にて、画像情報が選択され、画像メモリ部１２、プリンタ部２、外部制御部３へ入力される。プリンタ部２へ入力された画像情報は、露光制御部２０１にて変調された光信号に変換されて感光体２０２を照射する。照射光によって感光体２０２上に作られた潜像は、現像器２０３によって現像される。上記潜像の先端とタイミングを合わせて記録紙積載部２０４または記録紙積載部２０５より記録紙が搬送され、転写部２０６において、上記現像された像が転写される。
【００１８】
（３）  排紙向き（フェイスアップ／フェイスダウン）
転写された像は定着部２０７にて記録紙に定着された後、フラッパー２０９の制御により、そのまま排紙部２０８より画像形成装置外部にフェイスアップ状態で排出するか、反転パス２１２に送られセンサ２０を記録紙の後端が抜けた後、反転ローラ２１１、フラッパ２０９によって排紙部２０８方向へ搬送し、排紙部２０８より画像形成装置外部にフェイスダウン状態で排出される。ページ順の関係から、最終ページから順にコピー（画像形成）される場合はフェイスアップ状態の排紙が適しており、先頭ページから順にコピー（画像形成）される場合はフェイスダウン状態の排紙が適している。
【００１９】
（４）フィニッシング動作
排紙部２０８から出力された記録紙は、フィニッシャ４００に入る。フィニッシャ４００は３ビンの上下移動式のトレイ４１１と、トレイ４１１が使用できない場合に、一時的に使用するためのトレイ４０８、および、パンフレット折り時の排紙トレイ４０７を有する。
【００２０】
３ビンの移動式のトレイ４１１に排紙する場合には、コピー済みの記録紙は、排紙ローラ２０８から順次排出され、フィニッシャ４００の搬送ローラ４０１に入り、排出ローラ４１０からトレイ４１１の所定のトレイに排出される。また、ステイプルモードが選択されて、プリンタ部からステイプル信号が入力すると、ステイプルユニット４２０が排紙されたシート束をステイプルすることができる。またステープルユニット４２０は図示しないステープル移動モータにより、手前側／奥側の方向に移動可能になっており、記録紙の任意の位置にステープルすることができるようになっている。
【００２１】
また、３ビンのトレイに排出中、別の処理の用紙が出力されると、搬送ローラ４０１を通過後、上部のパスに入り、排紙ローラ４０９から、トレイ４０８に排出される。
【００２２】
また、パンフレット折りの出力の場合、記録紙は搬送路４０３を通り、パンフレット折り用のスタック部４０４に突き当てられる。このスタック部４０４の突き当ては用紙のサイズにより上下方向に自動的に移動するようになっている。必要枚数の記録紙がスタック部４０４にスタックされたところで、プリンタ部２からパンフレット折り信号が入力すると、ステイプルユニット４２１が駆動し、スタックされている記録紙の中央にステープル処理が行われ、折り部４０６が折りローラ４０２に記録紙を中央部を押し込み、折りローラ４０２によって記録紙を半折りにして、排紙ローラ４０５により排紙される。
【００２３】
（５）両面画像形成動作
定着部２０７で定着された記録紙は、フラッパ２０９により反転パス２１２へ導かれ、センサ２１により記録紙の後端がセンサ２１を抜けたことを検知すると、ローラ２１１を逆転して搬送方向を切替え、再給紙部２１３に搬送する。次の原稿が準備されると、原稿については前述のプロセスと同様に読み取られ、記録紙については再給紙部２１０より給紙され、記録紙の表面、裏面に２枚の原稿画像をコピーすることができる。
【００２４】
（６）モード別制御
次に、操作部５００で設定されたモードに応じた原稿給送制御及び記録紙搬送制御について説明する。図４は原稿給送装置３００の原稿トレイ３０１に原稿が載置されている状態で操作部５００のスタートキー５０３が押されたときに行われる制御のフローチャートである。この制御はリーダ部１内のＣＰＵによって行われる。なお、コピー時の詳細な制御は上述した通りであるので、ここではその説明は省略する。
【００２５】
まず、操作部５００のキー５１６によって記録紙をフェイスダウン排紙（裏面排紙）モードが設定されているかどうか判別する（ステップＳ１）。なお、デフォルトがフェイスダウン排紙モードになっているときはキー５１６が押されていなければフェイスダウン排紙モードが設定されているものと判別する。ステップＳ１でフェイスダウン排紙が設定されていると判別したときは、記録紙の片面にだけコピーを行なう片面コピーモードが設定されているかどうか判別する（ステップＳ２）。ステップＳ２で片面コピーモードが設定されていると判別したときは、原稿給送装置３００に上分離給送を行なわせて片面コピーを実行させ、片面コピーされた記録紙を反転パス２１２を使って反転排紙する（ステップＳ３）。この制御により図５の（ａ）に示すようにフェイスダウンの状態でページ順が逆になることなく排紙される。
【００２６】
ステップＳ２で片面コピーモードが設定されていない、すなわち両面コピーモードが設定されていると判別したときは、原稿給送装置３００に上分離給送を行なわせて両面コピーを実行させ、両面コピーされた記録紙を反転パス２１２に送り込むことなく排紙する（ステップＳ４）。この制御により図５の（ｂ）に示すようにフェイスダウンの状態でページ順が逆になることなく排紙される。
【００２７】
ステップＳ１でフェイスダウン排紙モードが設定されていない、すなわちフェイスアップ排紙モードが設定されていると判別したときときは、片面コピーモードが設定されているかどうか判別する（ステップＳ５）。ステップＳ５で片面コピーモードが設定されていると判別したときは、原稿給送装置３００に下分離給送を行なわせて片面コピーを実行させ、片面コピーされた記録紙を反転パス２１２に送り込むことなく排紙する（ステップＳ６）。この制御により図５の（ｃ）に示すようにフェイスアップの状態でページ順が逆になることなく排紙される。
【００２８】
ステップＳ５で片面コピーモードが設定されていない、すなわち両面コピーモードが設定されていると判別したときは、原稿給送装置３００に下分離給送を行なわせて両面コピーを実行させ、両面コピーされた記録紙を反転パス２１２を使って反転排紙する（ステップＳ７）。この制御により図５の（ｄ）に示すようにフェイスアップの状態でページ順が逆になることなく排紙される。
【００２９】
このようにユーザがフェイスダウン排紙及びフェイスアップ排紙のいずれを選択しても、ページ順を狂わせることなくユーザの指定通りの排紙を行わせることが可能になる。特にフェイスダウン排紙／フェイスアップ排紙に応じて原稿上分離／下分離を切換えるので、読み込んだ原稿の頁順を入れ替えるための画像メモリ領域をたくさん占領することなく正しいページ順で排出することができる。
【００３０】
なお、上述したこの制御のプログラムはＣＤ−ＲＯＭやフロッピーディスクから読み取ったり、ＬＡＮや通信回線からダウンロードして画像形成装置に記憶させた後に実行させてもよい。
【００３１】
【発明の効果】
以上説明したように、本発明によれば、ユーザの好みに応じて記録紙をフェイスダウン状態及びフェイスアップ状態のいずれかで排出させることが可能になり、いずれの排紙状態が選択されても複写された記録紙の頁順が逆になることがない。また、Ｎｉｎ１モードが設定された場合において、先頭頁がコピーされた位置よりも前に空白ができてしまうことを防止することができる。
【図面の簡単な説明】
【図１】本発明の実施形態を示す画像形成装置の全体の構成を説明するブロック図である。
【図２】画像形成装置の操作部を示す図である。
【図３】リーダ部及びプリンタ部、原稿給送装置、フィニッシャの構成を示す断面図である。
【図４】画像形成装置の制御フローチャートである。
【図５】各モードにおける記録紙の排紙状態を説明する図である。
【符号の説明】
１  リーダ部
２  プリンタ部
３００  原稿給送装置
３０１  原稿トレイ
３０３  半月形ローラ（下分離用）
３０９  ピックアップローラ（上分離用）
４００  フィニッシャ
５００  操作部
【図１】
0003592071.tif 000002
【図２】
0003592071.tif 000003
【図３】
0003592071.tif 000004
【図４】
0003592071.tif 000005
【図５】
0003592071.tif 000006